(57)【要約】      （修正有）【課題】呼吸用鼻マスクの装着により皮膚に生じる炎症を予防し、装着感を改善する皮膚保護用パッチを提供する。【解決手段】呼吸用鼻マスクと皮膚の間に皮膚保護用パッチを装着する。皮膚保護用パッチは、パッチ本体１と呼吸用鼻マスクに着脱自在に取り付けられる取付け部材２を備え、該パッチ本体１は、織布または不織布からなり、内径側に切欠き部を有する扇形に形成されており、該取付け部材２は、弾性体からなり、扇形の円弧部分の少なくとも２カ所に備えられている。【選択図】図１
0003176470.tif 000002
【実用新案登録請求の範囲】
【請求項１】
呼吸用鼻マスクと皮膚の間に装着される皮膚保護用パッチであって、
パッチ本体と呼吸用鼻マスクに着脱自在に取り付けられる取付け部材を備え、
該パッチ本体は、織布または不織布からなり、内径側に切欠き部を有する扇形に形成されており、
該取付け部材は、弾性体からなり、扇形の円弧部分の少なくとも２カ所に備えられている、
皮膚保護用パッチ。
【考案の詳細な説明】
【技術分野】
【０００１】
本考案は、鼻マスク装着時に皮膚を保護するパッチに関するものである。
【背景技術】
【０００２】
鼻マスクを利用して呼吸を補助する治療が行われている。睡眠時無呼吸症候群の治療には、持続陽圧呼吸療法（ＣＰＡＰ：Ｃｏｎｔｉｎｕｏｕｓ  Ｐｏｓｉｔｉｖｅ  Ａｉｒｗａｙ  Ｐｒｅｓｓｕｒｅ）が行われ、睡眠時の患者に陽圧の空気を配給している。また、慢性呼吸不全、急性呼吸不全、低酸素血症も鼻マスクを利用して患者に酸素を配給する治療が行われている。
【０００３】
着用時陽圧ガスが配給される場合には、顔と鼻マスクの間からガスの漏れが発生しやすいために、顔と密着するように鼻マスクは設計されている。この密着により、顔面の鼻マスク接触部位は圧迫され傷つけられることから、多くの鼻マスクが顔と接触する部分にクッション材が備えられている。鼻マスク用クッション部材およびそれを用いた鼻マスクについては数種開発されている（特許文献１）が、実際には鼻マスクの使用時間が長くなると、鼻マスクの接触部に不快感、痛み、皮膚の炎症が生じることが多く、特に鼻梁部に生じる接触性皮膚炎は、多くの患者を悩ませている。
【先行技術文献】
【特許文献】
【０００４】
【特許文献１】特開２００８−２６４０２６号公報
【考案の概要】
【考案が解決しようとする課題】
【０００５】
本考案は、呼吸用鼻マスクの装着により皮膚に生じる炎症を予防し、装着感を改善することを課題とする。
【課題を解決するための手段】
【０００６】
課題を解決するために、以下の皮膚保護用パッチを考案した。
呼吸用鼻マスクと皮膚の間に装着される皮膚保護用パッチであって、パッチ本体と呼吸用鼻マスクに着脱自在に取り付けられる取付け部材を備え、該パッチ本体は、織布または不織布からなり、内径側に切欠き部を有する扇形に形成されており、該取付け部材は、弾性体からなり、扇形の円弧部分の少なくとも２カ所に備えられている皮膚保護用パッチ。
【考案の効果】
【０００７】
本考案の皮膚保護用パッチは、鼻マスクの装着時の不快感を軽減し、鼻マスクを長時間装着することによる、皮膚の炎症、特に鼻梁部、または鼻根の接触性皮膚炎の発症を予防することができる。また、弾性体でマスク本体に固定することにより睡眠中のパッチ位置のズレがなくなり、マスクの装着感が改善する。さらに、織布または不織布からなるパッチは、簡易に洗浄することができ、または、使い捨てで使用することができ、清潔に鼻マスクを使用することができる。使用者が安心して利用できれば、多くの患者が呼吸補助、特に持続陽圧呼吸療法（ＣＰＡＰ）、による治療を進んで受けるようになり、健康維持、向上に貢献できる。
【図面の簡単な説明】
【０００８】
【図１】図１は本考案の一実施態様を示した図である。
【考案を実施するための形態】
【０００９】
本考案における呼吸用鼻マスクは、呼吸の補助を目的として呼吸用のガスを鼻孔に配給する治療で使用されるマスクであり、少なくとも鼻を覆うマスクである。鼻のみを覆うマスク、鼻と口を覆うマスクがある。例えば、持続陽圧呼吸療法（ＣＰＡＰ）、慢性呼吸不全、急性呼吸不全、低酸素血症等の治療において使用される。
【００１０】
本考案の皮膚保護用パッチは、鼻マスク使用時に鼻マスクと皮膚の間に装着される。特に鼻マスクと鼻梁の間、または鼻マスクと鼻根の間への本考案のパッチの装着は必須である。鼻梁または鼻根から顔面下方に向かう鼻マスクのクッションと鼻周辺部の皮膚の間にも装着されるのが好ましい。鼻と口の間、口の下、または顎と鼻マスクの接触部には本考案のパッチは装着されなくてもよい。
【００１１】
本考案の皮膚保護用パッチはパッチ本体と呼吸用鼻マスクに着脱自在に取り付けられる取付け部材を備えている。
【００１２】
パッチ本体は内径側に切欠き部を有する扇形に形成されている。扇形の中心角は１５０度〜２００度、好ましくは、１６０度〜１９０度であり、好適な大きさは顔の大きさによるが、好ましくは、扇形の半径は、５０〜７０ｍｍである。内径側に有する切欠き部は、鼻孔を露出させる形と大きさであればよい。例えば１辺が３０〜５０ｍｍ多角形や半径が１５〜２５ｍｍ扇形が挙げられる。好適には、半径が１５〜２５ｍｍの扇形の切欠き部である。
【００１３】
パッチ本体の材質は、織布もしくは不織布またはその組合せから選ばれる。柔軟な材質が好ましく、さらに、皮膚への刺激が少なく、鼻マスクからの圧力に耐え、頭部の動きによる捻りやずれ等の応力に耐える材質が好ましい。織布または不織布を複数積層したものでもよい。厚さは２ｍｍ以下であることが好ましい。好適な例としては、複数枚を積層した厚手のガーゼが挙げられる。
【００１４】
パッチ本体は、取付け部材により鼻マスクに着脱自在に取り付けられる。例えば、鼻マスクを使用する直前に本考案のパッチを鼻マスクに取り付けて使用することができる。使用後はマスクから取り外して簡易に洗濯、洗浄することができる。使い捨てであれば使用後に廃棄すればよい。
【００１５】
取付け部材は弾性体からなる。弾性体であることより取付けが容易である。また、頭の動きにより鼻マスクに捻りやずれが生じても本考案のパッチは安定して鼻マスクと皮膚の間で皮膚を保護することができる。弾性体は例えば、ゴムやジェル等である。
【００１６】
取付け部材は、扇形の円弧部分の少なくとも２カ所に備えられる。好適な位置は、例えば扇形の円弧を４等分して円弧の端部に近い１／４の部分に左右対称に備えられる。鼻マスクに応じて取付け部材の数および位置を決めることができる。取付け部材の大きさや長さも鼻マスクに応じて決定すればよい。取付け部材のマスクへの取付け方法に制限はないが、例えば、マスクの突起部分に弾性体を掛けることにより、取付けられる。
【実施例１】
【００１７】
図１は、本考案皮膚保護用パッチの実施例であって、１がパッチ本体、２が取付け部材である。１は厚手のガーゼを２枚積層したものであり、２の取付け部材はゴムからなる。２の取付け部材を鼻マスクのベルト接着部に掛けて鼻マスクに取り付けることができる。ａは１２４ｍｍ、ｂは３５ｍｍ、取付け部材のゴムの長さは８０ｍｍである。本パッチは、使用後は容易に洗浄でき、再度使用することができる。
【産業上の利用可能性】
【００１８】
本考案の皮膚保護用パッチは患者の鼻マスクの装着感を向上させ、皮膚の炎症を予防することができる。患者の負担を軽減し、治療効果を上げ、鼻マスクを使用した治療を普及することができる。
【符号の説明】
【００１９】
１    パッチ本体
２    取付け部材
【図１】
0003176470.tif 000003